(57)【要約】【課題】右目及び左目用画像要素が交互に形成された画像フィルムと右目及び左目用偏光グリッドが交互に形成された偏光フィルムとを重ねて、簡便かつ正確に、短時間で効率良く位置合せをすることができる立体画像プリントの位置合せ方法及びマーカを提供する。【解決手段】偏光フィルタを通して立体視する立体画像プリントの画像フィルムの非画像領域に形成され、右目用及び左目用画像要素の一方に対応する第１間隔の幅の線画像を、第１間隔より広い第２間隔を空けて配置した第１目盛部を持つ第１マーカと、偏光フィルムと、又はその上の、第１マーカと同じ位置に形成され、線画像と同じ幅の、右目用及び左目用偏光グリッドの一方の偏光グリッドを第１間隔で配置した第１検査部を持つ第２マーカと重ね、偏光フィルム又はその第１検査部が重ね合わされた第１目盛部の部分に、偏光フィルタを介して検知されるモアレを発生させ、このモアレのパターンを用いて、１つの線画像と１つの偏光グリッドとを位置合せすることにより、上記課題を解決する。【選択図】図３
2012063760.tif 000002
【特許請求の範囲】
【請求項１】
偏光フィルタを通して立体視するための立体画像プリントであって、少なくとも一方向に右目用画像要素及び左目用画像要素が所定の第１間隔で交互に形成された画像領域及び画像が形成されていない非画像領域を有する画像フィルムと、該画像フィルムの前記右目用画像要素及び前記左目用画像要素に対応して前記第１間隔で右目用偏光グリッド及び左目用偏光グリッドが交互に形成された透明な偏光フィルムとが貼り合わされた立体画像プリントを製造するに際し、
前記画像フィルムの非画像領域に少なくとも１つ形成され、前記右目用画像要素及び前記左目用画像要素のいずれか一方に対応し、前記第１間隔と同じ幅を持つ所定長さの線画像を、所定の方向に前記第１間隔より広い第２間隔を空けて所定の長さに亘って配置された第１目盛部を少なくとも持つ画像フィルム用第１マーカと、前記偏光フィルム上の、前記画像フィルムの前記第１マーカの位置と同じ位置に形成され、前記線画像と同じ幅及び長さを持つ、前記右目用偏光グリッド及び左目用偏光グリッドのいずれか一方の偏光グリッドを前記所定の方向に前記第１間隔で前記所定の長さに亘って配置された第１検査部を少なくとも持つ偏光フィルム用第２マーカと、を前記第１目盛部と前記第１検査部とが一致するように重ね、
前記第１目盛部と前記第１検査部とが重ね合された部分に、前記偏光フィルタを介して検知されるモアレを発生させ、発生されたモアレのパターンを用いて、前記第１目盛部の１つの前記線画像と前記第１検査部の１つの前記偏光グリッドとを位置合せし、前記画像フィルムの前記画像領域の前記右目用画像要素及び前記左目用画像要素と、前記偏光フィルムの前記右目用偏光グリッド及び前記左目用偏光グリッドと、をそれぞれ位置合わせすることを特徴とする立体画像プリントの位置合わせ方法。
【請求項２】
前記画像フィルムの前記第１マーカは、前記非画像領域に、さらに、前記第１目盛部に隣接し、前記線画像と同じ幅を持つ線画像が前記所定の方向に前記第１間隔で形成された第２目盛部と、前記第１目盛部及び前記第２目盛部に隣接し、前記線画像と同じ幅を持つ線画像が前記所定の方向と直交する方向に前記第２間隔を空けて形成された第３目盛部とを有し、
前記偏光フィルムの前記第２マーカは、さらに、前記第１マーカの前記第２目盛部に対応する位置に、前記第１検査部に隣接して、前記偏光グリッドが前記所定の方向に前記第１間隔で形成された第２検査部と、前記第１マーカの前記第３目盛部に対応する位置に、前記第１検査部及び前記第２検査部に隣接して、前記偏光グリッドが前記直交する方向に前記第１間隔で形成された第３検査部とを有し、
前記画像フィルムの前記第１マーカと前記偏光フィルムの前記第２マーカとを重ね合わせ、前記第１目盛部と前記第１検査部とが重ね合された部分に加え、前記第３目盛部と前記第３検査部とが重ね合された部分に、前記偏光フィルタを介して検知される、前記モアレと同じ周期を持つモアレを発生させることにより、前記第２目盛部と前記第２検査部とが重ね合された部分に、前記偏光フィルタを介して検知されるモアレを発生させず、前記第１の間隔の白黒パターンを生じさせて、前記画像フィルムの前記画像領域の前記右目用画像要素及び前記左目用画像要素と、前記偏光フィルムの前記右目用偏光グリッド及び前記左目用偏光グリッドと、をそれぞれ位置合わせする請求項１に記載の立体画像プリントの位置合せ方法。
【請求項３】
前記画像フィルムの前記第１マーカは、前記画像領域に対して、互いに離れた、前記非画像領域の２つの位置に形成され、
前記偏光フィルムの前記第２マーカは、前記画像フィルムの前記第１マーカが形成された２つに位置に対応する２つに位置に形成される請求項１又は２に記載の立体画像プリントの位置合せ方法。
【請求項４】
偏光フィルタを通して立体視するための立体画像プリントであって、少なくとも一方向に右目用画像要素及び左目用画像要素が所定の第１間隔で交互に形成された画像領域及び画像が形成されていない非画像領域を有する画像フィルムと、該画像フィルムの前記右目用画像要素及び前記左目用画像要素に対応して前記第１間隔で右目用偏光グリッド及び左目用偏光グリッドが交互に形成された透明な偏光フィルムとが貼り合わされた立体画像プリントを製造するに際し、
前記画像フィルムの非画像領域に少なくとも１つ形成され、前記右目用画像要素及び前記左目用画像要素のいずれか一方に対応し、前記第１間隔と同じ幅を持つ所定長さの線画像を、所定の方向に前記第１間隔より広い第２間隔を空けて、所定の長さに亘って配置された第１目盛部を少なくとも持つ画像フィルム用第１マーカと、前記偏光フィルムと、を重ね、
前記偏光フィルムが重ね合わされた前記画像フィルムの前記第１目盛部の部分に、前記偏光フィルタを介して検知されるモアレを発生させ、発生されたモアレのパターンを用いて、前記第１目盛部前記第１目盛部の１つの前記線画像と前記偏光フィルムの前記右目用偏光グリッド及び前記左目用偏光グリッドの１つの偏光グリッドとを位置合せし、前記画像フィルムの前記画像領域の前記右目用画像要素及び前記左目用画像要素と、前記偏光フィルムの前記右目用偏光グリッド及び前記左目用偏光グリッドと、をそれぞれ位置合わせすることを特徴とする立体画像プリントの位置合わせ方法。
【請求項５】
前記画像フィルムの前記第１マーカは、前記非画像領域に、さらに、前記第１目盛部に隣接し、前記線画像と同じ幅を持ち、前記線画像に対して微小角傾斜する線画像が前記所定の方向に前記第２間隔を空けて形成された第２目盛部を有し、
前記偏光フィルムが重ね合わされた前記画像フィルムの前記第２目盛部の部分に、前記モアレとは異なり、前記線画像の傾斜方向とは異なる方向に周期を持ち、前記偏光フィルタを介して検知されるモアレを発生させることにより、前記画像フィルムの前記画像領域の前記右目用画像要素及び前記左目用画像要素と、前記偏光フィルムの前記右目用偏光グリッド及び前記左目用偏光グリッドと、をそれぞれ位置合わせする請求項４に記載の立体画像プリントの位置合せ方法。
【請求項６】
前記画像フィルムの前記第１マーカは、前記非画像領域の隣接する２つの位置に形成される請求項４又は５に記載の立体画像プリントの位置合せ方法。
【請求項７】
前記画像フィルムの前記第１マーカの前記第１目盛部は、発生する前記モアレのパターンの空間周波数特性が人間の目に見易いように制御された画像解像度及びサイズを持つ請求項１〜６のいずれか１項に記載の立体画像プリントの位置合せ方法。
【請求項８】
前記画像フィルムの前記第１マーカは、その前記第１目盛部に発生する前記モアレのパターンをフーリエ変換して第１スペクトルを生成し、得られた空間周波数特性に人間の視覚関数を乗算して第２スペクトルを生成し、生成された前記第２スペクトルを全空間周波数帯域で積分して得られた積分値が最大値を取るようなモアレパターンを生成するときの画像解像度及びサイズを持つ請求項１〜７のいずれか１項に記載の立体画像プリントの位置合せ方法。
【請求項９】
前記画像フィルムは、その非画像領域の、前記第１マーカと異なる位置に少なくとも１つ形成され、前記右目用画像要素及び前記左目用画像要素のいずれか一方に対応し、前記第１間隔と同じ幅を持つ所定長さの線画像を、所定の方向に前記第１間隔の整数倍の間隔を空けて、前記画像領域の長さの半分以上の長さに亘って配置された画像フィルム用第３マーカを有するものであり、
前記画像フィルムと前記偏光フィルムとを重ねて位置合せする際に、
前記画像フィルムの前記第１マーカの前記１つの線画像と前記偏光フィルムの前記１つの偏光グリッドとを位置合せすると共に、
更に、重ねて合された前記画像フィルムの前記第３マーカと前記偏光フィルムとの重なり部分の光量を前記偏光フィルタを通して検出し、
検出された光量に応じて、前記画像フィルムの前記画像領域の前記右目用画像要素及び前記左目用画像要素と、前記偏光フィルムの前記右目用偏光グリッド及び前記左目用偏光グリッドと、をそれぞれ位置合わせする請求項１〜８のいずれか１項に記載の立体画像プリントの位置合せ方法。
【請求項１０】
前記画像フィルムの前記画像領域は、矩形状であり、
前記第１マーカは、前記画像フィルムの前記画像領域を挟む両側の前記非画像領域にそれぞれ少なくとも１つ設けられ、
前記第３マーカは、前記画像フィルムの前記画像領域を挟む他方の両側の前記非画像領域の少なくとも１つ設けられる請求項９に記載の立体画像プリントの位置合せ方法。
【請求項１１】
前記画像フィルムの前記第３マーカと前記偏光フィルムとの重なり部分の光量は、前記重なり部分において複数点をサンプリングして、サンプリングされた複数点の光量を検出し、検出された複数点の光量の差が所定閾値以下となるように位置合わせする請求項９又は１０に記載の立体画像プリントの位置合せ方法。
【請求項１２】
前記画像フィルムの前記第３マーカは矩形状であり、前記第３マーカの長さ方向と直交する方向の前記第３マーカの高さは、前記画像フィルムの前記第３マーカと前記偏光フィルムとの重なり部分の光量を検出する検出器のアパーチャーサイズより大きい請求項９〜１１のいずれか１項に記載の立体画像プリントの位置合せ方法。
【請求項１３】
請求項１〜１２のいずれか１項に記載の立体画像プリントの位置合せ方法に用いられる位置合せマーカであって、
前記位置合せマーカは、前記画像フィルムに形成される前記第１のマーカを含むことを特徴とする位置合せマーカ。
【請求項１４】
前記位置合せマーカは、さらに、請求項１〜３及び７〜１２のいずれか１項に記載の立体画像プリントの位置合せ方法に用いられる前記偏光フィルムに形成される前記第２のマーカを含む請求項１３に記載の位置合せマーカ。
【請求項１５】
前記位置合せマーカは、さらに、請求項９〜１２のいずれか１項に記載の立体画像プリントの位置合せ方法に用いられる前記画像フィルムに形成される前記第３のマーカを含む請求項１３又は１４に記載の位置合せマーカ。
【請求項１６】
請求項１〜１２のいずれか１項に記載の立体画像プリントの位置合せ方法に用いられる前記画像フィルムを作製すると共に、前記偏光フィルムを用意し、
前記画像フィルムと前記偏光フィルムとを請求項１〜１２のいずれか１項に記載の立体画像プリントの位置合せ方法によって位置合せし、
位置合せされた前記画像フィルムと前記偏光フィルムとを接着剤で貼り合わせることを特徴とする立体画像プリントの製造方法。
【発明の詳細な説明】
【技術分野】
【０００１】
本発明は、立体画像プリントの位置合せ方法、これに用いる位置合せマーカ及び立体画像プリントの製造方法に関し、詳しくは偏光方式の３Ｄ（３次元）静止画プリントや立体写真等の立体画像プリントを製造するために右目及び左目用画像要素が交互に形成された画像フィルムと右目及び左目用偏光グリッドが交互に形成された偏光フィルムとを正確に位置合せすることができる立体画像プリントの位置合せ方法、この位置合せ方法に用いられる位置合せマーカ及び立体画像プリントの製造方法に関するものである。
【背景技術】
【０００２】
従来より、立体視を得る方法は種々知られているが、その中で、３Ｄ静止画プリントとしては、眼鏡や器具を使わないで容易に立体視できるため、レンチキュラレンズ（レンチキュラシート）を用いた立体写真が良く知られている。
近年、３Ｄ動画においては、プロジェクタ投影方式や液晶光路変更方式等の偏光フィルタ眼鏡を用いた偏光表示方式を用いた３Ｄ動画が、映画や液晶ＴＶ（テレビジョン）で実用化されている。
【０００３】
ところで、液晶ＴＶ等における３Ｄ動画の表示においては、右目用及び左目用線状画像要素が表示される液晶パネルと、ガラス基板に右目用及び左目用線状偏光グリッドが形成された偏光板とを位置合せする必要があるが、３Ｄ画像であっても、動画においては画像に変化があるので、静止画ほどの位置合せ精度が要求されない。また、液晶ＴＶ等において液晶パネルと偏光板とを正確に位置合せする場合、液晶パネルもガラス基板も比較的剛性が高く、変形の少ない板状体であるため、ある程度の正確な位置合わせが容易である。
【０００４】
これに対し、レンチキュラシートを用いた立体写真においては、１つのレンチキュラレンズと１組の右目及び左目用画像要素とを正確に位置合せする必要があるために、種々の位置決め方法が提案されている（特許文献１及び２参照）。
特許文献１は、カメラ内にレンチキュラシート及び専用のマーク（指標）映し込み装置が内蔵されている立体写真用カメラで右目用及び左目用線状画像要素からなる画像を撮影する際に、画像領域内の線状画像要素と共に画像領域外に位置決め用マークを写真フィルムに映し込んでおき、写真フィルムを現像後、現像された写真フィルムを用いて印画紙にプリント処理を行い線状画像要素及び位置決め用マークを持つプリント写真を作成し、このマークを観察用のレンチキュラシートをプリント写真に接合するときの位置合わせ基準に用いることを開示している。そして、特許文献１では、これにより、プリント写真にレンチキュラシートを接合する工程の位置決め作業を効率的に行うことができ、その結果、簡単なプリント作業で立体視プリント写真が作成できるとしている。
【０００５】
また、特許文献２は、位置決めマークが設けられた撮影用レンチキュラ板が内蔵されている立体写真カメラで右目用及び左目用分割画像の合成像を撮影する際に合成像中に位置決め用マークのマーク像を形成し、現像されたフィルムを用いて立体写真用基体シートに合成像を形成する際に合成像中にマーク像を形成すると共に、観察用レンチキュラ板に位置決め用マークに対応する位置において対応する貼り合わせ用位置決めマークを設けておき、合成像が形成された立体写真用基体シートの合成像中のマーク像と観察用レンチキュラ板の貼り合わせ用位置決めマークとを位置合わせして、立体写真用基体シートと観察用レンチキュラ板とを貼り合わせることを開示している。そして、特許文献２では、これにより、観察用レンチキュラ板の貼り合わせ作業の自動化を図り、貼り合わせ作業の効率を向上させることができるとしている。
【先行技術文献】
【特許文献】
【０００６】
【特許文献１】特開平５−１９３８７号公報
【特許文献２】特開平５−１８８４９８号公報
【発明の概要】
【発明が解決しようとする課題】
【０００７】
ところで、特許文献１及び２に開示の位置合せ方法では、レンチキュラシートやレンチキュラ板等を内蔵する特殊な立体写真カメラで撮影する必要があるし、その際に位置合せマークを撮影しておく必要があり、面倒であるばかりか、マーク無しで撮影された線状画要素からなる画像とレンチキュラシートとの位置合せには用いることができないという問題があった。
また、特許文献２に開示の位置合せ方法では、さらに、観察用レンチキュラ板も貼り合わせ用位置決めマークは、立体写真用基体シートへの合成像形成における拡大倍率に対応する条件下で設ける必要があるという問題があった。
また、特許文献１及び２に開示の線状画像要素が形成されたプリント写真のベースや合成像が形成される立体写真用基体シートは印画紙であり、比較的剛性があり、これに貼り合わせるレンチキュラシートも、剛性があるため、単純なマークでも、比較的正確な位置合わせが可能である。
【０００８】
これに対し、偏光方式の３Ｄ静止画プリントや立体写真等の立体画像プリントを製造する際に、右目及び左目用画像要素を交互に形成するための基体及び右目及び左目用偏光グリッドを交互に形成するための基体として共にフィルム、すなわち画像フィルムと偏光フィルムを用いる場合には、共に剛性が低く、変形し易いために、特許文献１及び２に開示の位置合せマークでは、正確な位置合わせが困難であり、必要な位置合せ精度が得られないし、高い精度の位置合わせが達成できたとしても、時間と手間がかかり、効率的ではないという問題があった。
もちろん、上述した偏光方式の３Ｄ動画を表示する液晶ＴＶ等で行われている比較的剛性の高い液晶パネルと偏光板との位置合せ方法は、共に剛性が低く変形し易い画像フィルムと偏光フィルムとの位置合せには適用できず、適用しても正確な位置合わせが困難であり、精度の点でも不足するという問題があった。
また、画像フィルムの右目及び左目用画像要素の一方を黒ラインとし、他方を白ラインとして、画像フィルムの白黒ラインと偏光眼鏡を用いて発生する偏光フィルムの白黒ラインとを手作業で長時間をかけて誤差や位置ずれを検出して位置合わせをすることはできるが、時間と手間がかかり、効率的ではないという問題もあった。
【０００９】
本発明の第１の目的は、上記従来技術の問題点を解消し、偏光方式の立体画像プリントを製造する際に、右目及び左目用画像要素が交互に形成された画像フィルムと、右目及び左目用偏光グリッドが交互に形成された偏光フィルムとを重ねて、簡便かつ正確に、短時間で効率良く位置合せをすることができ、また、微視的な位置合わせでは検出できない画像要素周期又は偏光グリッド周期の位置ずれを検出し、画像要素周期又は偏光グリッド周期の位置ずれのない位置合わせを可能とする立体画像プリントの位置合せ方法を提供することにある。
また、本発明の第２の目的は、偏光方式の立体画像プリントの製造において、上記画像フィルムと、上記偏光フィルムとを重ねて、簡便、かつ正確に、短時間で効率良く位置合せをするために、好適に用いることができる位置合せマーカを提供することにある。
さらに、本発明の第３の目的は、上記立体画像プリントの位置合せ方法を用いて、簡便かつ正確に、短時間で効率良く立体画像プリントを製造することができる立体画像プリントの製造方法を提供することにある。
【課題を解決するための手段】
【００１０】
上記第１の目的を達成するために、本発明の第１の態様の立体画像プリントの位置合わせ方法は、偏光フィルタを通して立体視するための立体画像プリントであって、少なくとも一方向に右目用画像要素及び左目用画像要素が所定の第１間隔で交互に形成された画像領域及び画像が形成されていない非画像領域を有する画像フィルムと、該画像フィルムの前記右目用画像要素及び前記左目用画像要素に対応して前記第１間隔で右目用偏光グリッド及び左目用偏光グリッドが交互に形成された透明な偏光フィルムとが貼り合わされた立体画像プリントを製造するに際し、前記画像フィルムの非画像領域に少なくとも１つ形成され、前記右目用画像要素及び前記左目用画像要素のいずれか一方に対応し、前記第１間隔と同じ幅を持つ所定長さの線画像を、所定の方向に前記第１間隔より広い第２間隔を空けて、所定の長さに亘って配置された第１目盛部を少なくとも持つ画像フィルム用第１マーカと、前記偏光フィルム上の、前記画像フィルムの前記第１マーカの位置と同じ位置に形成され、前記線画像と同じ幅及び長さを持つ、前記右目用偏光グリッド及び左目用偏光グリッドのいずれか一方の偏光グリッドを前記所定の方向に前記第１間隔で前記所定の長さに亘って配置された第１検査部を少なくとも持つ偏光フィルム用第２マーカと、を前記第１目盛部と前記第１検査部とが一致するように重ね、前記第１目盛部と前記第１検査部とが重ね合された部分に、前記偏光フィルタを介して検知されるモアレを発生させ、発生されたモアレのパターンを用いて、前記第１目盛部の１つの前記線画像と前記第１検査部の１つの前記偏光グリッドとを位置合せし、前記画像フィルムの前記画像領域の前記右目用画像要素及び前記左目用画像要素と、前記偏光フィルムの前記右目用偏光グリッド及び前記左目用偏光グリッドと、をそれぞれ位置合わせすることを特徴とする。
【００１１】
ここで、前記画像フィルムの前記第１マーカは、前記非画像領域に、さらに、前記第１目盛部に隣接し、前記線画像と同じ幅を持つ線画像が前記所定の方向に前記第１間隔で形成された第２目盛部と、前記第１目盛部及び前記第２目盛部に隣接し、前記線画像と同じ幅を持つ線画像が前記所定の方向と直交する方向に前記第２間隔を空けて形成された第３目盛部とを有し、前記偏光フィルムの前記第２マーカは、さらに、前記第１マーカの前記第２目盛部に対応する位置に、前記第１検査部に隣接して、前記偏光グリッドが前記所定の方向に前記第１間隔で形成された第２検査部と、前記第１マーカの前記第３目盛部に対応する位置に、前記第１検査部及び前記第２検査部に隣接して、前記偏光グリッドが前記直交する方向に前記第１間隔で形成された第３検査部とを有し、前記画像フィルムの前記第１マーカと前記偏光フィルムの前記第２マーカとを重ね合わせ、前記第１目盛部と前記第１検査部とが重ね合された部分に加え、前記第３目盛部と前記第３検査部とが重ね合された部分に、前記偏光フィルタを介して検知される、前記モアレと同じ周期を持つモアレを発生させることにより、前記第２目盛部と前記第２検査部とが重ね合された部分に、前記偏光フィルタを介して検知されるモアレを発生させず、前記第１の間隔の白黒パターンを生じさせて、前記画像フィルムの前記画像領域の前記右目用画像要素及び前記左目用画像要素と、前記偏光フィルムの前記右目用偏光グリッド及び前記左目用偏光グリッドと、をそれぞれ位置合わせすることが好ましい。
また、前記画像フィルムの前記第１マーカは、前記画像領域に対して、互いに離れた、前記非画像領域の２つの位置に形成され、前記偏光フィルムの前記第２マーカは、前記画像フィルムの前記第１マーカが形成された２つに位置に対応する２つに位置に形成されることが好ましい。
【００１２】
また、上記第１の目的を達成するために、本発明の第２の態様の立体画像プリントの位置合わせ方法は、偏光フィルタを通して立体視するための立体画像プリントであって、少なくとも一方向に右目用画像要素及び左目用画像要素が所定の第１間隔で交互に形成された画像領域及び画像が形成されていない非画像領域を有する画像フィルムと、該画像フィルムの前記右目用画像要素及び前記左目用画像要素に対応して前記第１間隔で右目用偏光グリッド及び左目用偏光グリッドが交互に形成された透明な偏光フィルムと、が貼り合わされた立体画像プリントを製造するに際し、前記画像フィルムの非画像領域に少なくとも１つ形成され、前記右目用画像要素及び前記左目用画像要素のいずれか一方に対応し、前記第１間隔と同じ幅を持つ所定長さの線画像を、所定の方向に前記第１間隔より広い第２間隔を空けて、所定の長さに亘って配置された第１目盛部を少なくとも持つ画像フィルム用第１マーカと、前記偏光フィルムと、を重ね、前記偏光フィルムが重ね合わされた前記画像フィルムの前記第１目盛部の部分に、前記偏光フィルタを介して検知されるモアレを発生させ、発生されたモアレのパターンを用いて、前記第１目盛部の１つの前記線画像と前記偏光フィルムの前記右目用偏光グリッド及び前記左目用偏光グリッドの１つの偏光グリッドとを位置合せし、前記画像フィルムの前記画像領域の前記右目用画像要素及び前記左目用画像要素と、前記偏光フィルムの前記右目用偏光グリッド及び前記左目用偏光グリッドとをそれぞれ位置合わせすることを特徴とする。
【００１３】
ここで、前記画像フィルムの前記第１マーカは、前記非画像領域に、さらに、前記第１目盛部に隣接し、前記線画像と同じ幅を持ち、前記線画像に対して微小角傾斜する線画像が前記所定の方向に前記第２間隔を空けて形成された第２目盛部を有し、前記偏光フィルムが重ね合わされた前記画像フィルムの前記第２目盛部の部分に、前記モアレとは異なり、前記線画像の傾斜方向とは異なる方向に周期を持ち、前記偏光フィルタを介して検知されるモアレを発生させることにより、前記画像フィルムの前記画像領域の前記右目用画像要素及び前記左目用画像要素と、前記偏光フィルムの前記右目用偏光グリッド及び前記左目用偏光グリッドと、をそれぞれ位置合わせすることが好ましい。
また、前記画像フィルムの前記第１マーカは、前記非画像領域の隣接する２つの位置に形成されることが好ましい。
【００１４】
また、上記第１および第２の態様において、前記画像フィルムの前記第１マーカの前記第１目盛部は、発生する前記モアレのパターンの空間周波数特性が人間の目に見易いように制御された画像解像度及びサイズを持つことが好ましい。
また、前記画像フィルムの前記第１マーカは、その前記第１目盛部に発生する前記モアレのパターンをフーリエ変換して第１スペクトルを生成し、得られた空間周波数特性に人間の視覚関数を乗算して第２スペクトルを生成し、生成された前記第２スペクトルを全空間周波数帯域で積分して得られた積分値が最大値を取るようなモアレパターンを生成するときの画像解像度及びサイズを持つことが好ましい。
【００１５】
また、前記画像フィルムは、その非画像領域の、前記第１マーカと異なる位置に少なくとも１つ形成され、前記右目用画像要素及び前記左目用画像要素のいずれか一方に対応し、前記第１間隔と同じ幅を持つ所定長さの線画像を、所定の方向に前記第１間隔の整数倍の間隔を空けて、前記画像領域の長さの半分以上の長さに亘って配置された画像フィルム用第３マーカを有するものであり、前記画像フィルムと前記偏光フィルムとを重ねて位置合せする際に、前記画像フィルムの前記第１マーカの前記１つの線画像と前記偏光フィルムの前記１つの偏光グリッドとを位置合せすると共に、更に、重ねて合された前記画像フィルムの前記第３マーカと前記偏光フィルムとの重なり部分の光量を検出し、検出された光量に応じて、前記画像フィルムの前記画像領域の前記右目用画像要素及び前記左目用画像要素と、前記偏光フィルムの前記右目用偏光グリッド及び前記左目用偏光グリッドと、をそれぞれ位置合わせすることが好ましい。
【００１６】
前記画像フィルムの前記画像領域は、矩形状であり、前記第１マーカは、前記画像フィルムの前記画像領域を挟む両側の前記非画像領域にそれぞれ少なくとも１つ設けられ、前記第３マーカは、前記画像フィルムの前記画像領域を挟む他方の両側の前記非画像領域の少なくとも１つ設けられることが好ましい。
前記画像フィルムの前記第３マーカと前記偏光フィルムとの重なり部分の光量は、前記重なり部分において複数点をサンプリングして、サンプリングされた複数点の光量を検出し、検出された複数点の光量の差が所定閾値以下となるように位置合わせすることが好ましい。
前記画像フィルムの前記第３マーカは矩形状であり、前記第３マーカの長さ方向と直交する方向の前記第３マーカの高さは、前記画像フィルムの前記第３マーカと前記偏光フィルムとの重なり部分の光量を検出する検出器のアパーチャーサイズより大きいことが好ましい。
【００１７】
また、上記第２の目的を達成するために、本発明の第３の態様の位置合せマーカは、上記第１又は第２の態様の立体画像プリントの位置合せ方法に用いられる位置合せマーカであって、前記位置合せマーカは、前記画像フィルムに形成される前記第１のマーカを含むことを特徴とする。
ここで、前記位置合せマーカは、さらに、上記第１の態様の立体画像プリントの位置合せ方法に用いられる前記偏光フィルムに形成される前記第２のマーカを含むことが好ましい。
また、前記位置合せマーカは、さらに、上記第１又は第２の態様の立体画像プリントの位置合せ方法に用いられる前記画像フィルムに形成される前記第３のマーカを含むことが好ましい。
【００１８】
また、上記第３の目的を達成するために、本発明の第４の態様の立体画像プリントの製造方法は、上記第１又は第２の態様の立体画像プリントの位置合せ方法に用いられる前記画像フィルムを作製すると共に、前記偏光フィルムを用意し、前記画像フィルムと前記偏光フィルムとを上記第１又は第２の態様の立体画像プリントの位置合せ方法によって位置合せし、位置合せされた前記画像フィルムと前記偏光フィルムとを接着剤で貼り合わせることを特徴とする。
【発明の効果】
【００１９】
本発明の第１及び第２の態様によれば、少なくとも、画像フィルム用第１マーカを用いて、偏光方式の立体画像プリントを製造する際に、右目及び左目用画像要素が交互に形成された画像フィルムと、右目及び左目用偏光グリッドが交互に形成された偏光フィルムとを重ねて、簡便かつ正確に、短時間で効率良く位置合せをすることができる。
また、画像フィルム用第３マーカを用いるものでは、少なくとも画像フィルム用第１マーカを用いて、画像フィルムの右目用、左目用画像要素と偏光フィルムの右目用、左目用グリッドとを微視的に精度良く合わせても、それだけでは検出できない巨視的に起こるグリッド周期の位置ずれを検出することができ、簡単に精度良く正確な位置合わせをすることができる。
また、本発明の第３の態様によれば、偏光方式の立体画像プリントの製造において、上記画像フィルムと上記偏光フィルムとを重ねて、簡便、かつ正確に、短時間で効率良く位置合せをする際に好適に用いることができる。
さらに、本発明の第４の態様によれば、簡便かつ正確に、短時間で効率良く立体画像プリントを製造することができる。
【図面の簡単な説明】
【００２０】
【図１】本発明に用いられる立体画像プリントの一実施形態の断面構造およびその立体視の方法を示す断面模式図である。
【図２】（Ａ）及び（Ｂ）は、それぞれ本発明の立体画像プリントの位置合せ方法に用いられる画像プリント原紙及び偏光フィルム原紙の一実施形態の正面図である。
【図３】（Ａ）及び（Ｂ）は、それぞれ図２（Ａ）及び（Ｂ）に示される画像プリント及び偏光フィルムの位置合せマーカの一例を示す正面図である。
【図４】図３（Ａ）及び（Ｂ）に示される２つの位置合せマーカを重ね合わせた時に発生するモアレのパターンの一例を示す説明図である。
【図５】本発明の立体画像プリントの位置合せ方法に用いられる画像プリントの位置合せマーカの他の一例を示す正面図である。
【図６】図５に示される位置合せマーカを本発明の立体画像プリントの位置合せ方法に用いられる偏光フィルムに重ね合わせた時に発生するモアレのパターンの他の一例を示す説明図である。
【図７】（Ａ）及び（Ｂ）は、それぞれ本発明の立体画像プリントの位置合せ方法において最適化前及び後の位置合せマーカを重ね合わせた時に発生するモアレのパターンの一例を示す説明図である。
【図８】図７（Ａ）及び（Ｂ）に示すモアレのパターンの空間周波数特性を示すグラフである。
【図９】人間の視覚関数（Ｄｏｏｌｅｙ−Ｓｈａｗ関数（ＶＴＦ））を示すグラフである。
【図１０】大サイズの画面の画像プリントと偏光フィルムとが周期ずれを起こして局所的に位置合せされた状態の一例を示す説明図である。
【図１１】大サイズの画面の画像プリントと偏光フィルムとが周期ずれを起こして局所的に位置合せされた状態の他の一例を示す説明図である。
【図１２】（Ａ）及び（Ｂ）は、それぞれ本発明の立体画像プリントの位置合せ方法に用いられる大サイズの画面の画像プリント原紙及び偏光フィルム原紙の他の実施形態の正面図である。
【図１３】図１２（Ａ）及び（Ｂ）に示される大サイズの画面の画像プリント原紙及び偏光フィルム原紙の位置合せ状態を示す説明図である。
【発明を実施するための形態】
【００２１】
以下に、添付の図面に示す好適実施形態に基づいて、本発明に係る立体画像プリントの位置合せ方法、これに用いる位置合せマーカ及び立体画像プリントの製造方法を詳細に説明する。
図１は、本発明の立体画像プリントの位置合せ方法に用いられる立体画像プリントの一実施形態の断面構造およびその立体視の方法を示す断面模式図である。図２（Ａ）及び（Ｂ）は、それぞれ本発明の立体画像プリントの位置合せ方法に用いられる画像プリント及び偏光フィルムの一実施形態の正面図である。
【００２２】
図１に示す立体画像プリント１０は、偏光眼鏡１２の右目（Ｒ）用偏光フィルタ１２Ｒ及び左目（Ｌ）用偏光フィルタ１２Ｌを通して、人間の目１４（右目１４Ｒ及び左目１４Ｌ）で立体視するための３Ｄ静止画プリントであって、右目用画像要素１６Ｒ及び左目用画像要素１６Ｌが所定の間隔で交互に配置された画像層１６が形成された画像フィルム２０と、画像フィルム２０の画像層１６上に位置合わせして貼り付けられ、右目用画像要素１６Ｒ及び左目用画像要素１６Ｌに対応して所定の間隔で右目用偏光グリッド２２Ｒ及び左目用偏光グリッド２２Ｌが配置されるように形成された透明な偏光フィルム２２と、を有する。
【００２３】
偏光眼鏡１２の右目用偏光フィルタ１２Ｒは、偏光フィルム２２の右目用偏光グリッド２２Ｒを透過した画像フィルム２０の右目用画像要素１６Ｒの画像を坦持する画像光を透過させ、人間の右目１４Ｒに入射させるが、偏光フィルム２２の左目用偏光グリッド２２Ｌを透過した画像フィルム２０の左目用画像要素１６Ｌの画像を坦持する画像光をカット（遮断）し、人間の右目１４Ｒには入射させない。
一方、偏光眼鏡１２の左目用偏光フィルタ１２Ｌは、偏光フィルム２２の左目用偏光グリッド２２Ｌを透過した画像フィルム２０の左目用画像要素１６Ｌの画像を坦持する画像光を透過させ、人間の左目１４Ｌに入射させるが、偏光フィルム２２の右目用偏光グリッド２２Ｒを透過した画像フィルム２０の右目用画像要素１６Ｒの画像を坦持する画像光をカット（遮断）し、人間の左目１４Ｌには入射させない。
こうして、人間の右目１４Ｒは全ての右目用画像要素１６Ｒのみが合成された右目用全画像（画像フィルム２０全体の右目用画像）を見ることができ、人間の左目１４Ｌは全ての左目用画像要素１６Ｌのみが合成された左目用全画像（画像フィルム２０全体の左目用画像）を見ることができ、その結果、人間の目１４は、立体画像プリント１０の立体画像を立体視することができる。
【００２４】
本発明においては、画像フィルム２０は、画像層１６と、画像層１６を支持するフィルムベース１８と、を有し、フィルムベース１８上に画像層１６として右目用画像要素１６Ｒ及び左目用画像要素１６Ｌが所定の間隔で交互に配置されるように形成されたものである。
本発明においては、画像フィルム２０の画像層１６の交互に配置される右目用画像要素１６Ｒ及び左目用画像要素１６Ｌの配置方向の幅及び配置間隔は、例えば、２００μｍとすることができる。なお、この画像要素１６Ｒ、１６Ｌの幅及び配置間隔は、立体視が可能な間隔であれば特制限的ではなく、例えば、５０〜１０００μｍとすることができ、５０〜２００μｍとすることが好ましい。ここで、画像要素１６Ｒ、１６Ｌの配置間隔とは、隣接する２つの画像要素１６Ｒ間の距離、すなわち、図示例では、その間に挟まれる画像要素１６Ｌの幅を指し、もしくは、隣接する２つの画像要素１６Ｌ間の距離、すなわち、図示例では、その間に挟まれる画像要素１６Ｒの幅を指す。なお、画像要素１６Ｒ、１６Ｌの幅と配置間隔とは、画像要素１６Ｒ、１６Ｌの幅は立体視の点からは広い方が好ましいので、本実施形態のように、両者は同じであるのが好ましいが、本発明はこれに限定されず、異なっていても良く、幅の方が配置間隔より狭くても良い。
【００２５】
ここで、画像フィルム２０の画像層１６の右目用画像要素１６Ｒ及び左目用画像要素１６Ｌは、線状画像要素として交互に配置されるものであっても良いし、矩形画像要素として市松模様に配置されるものであっても良いし、線状画像要素や矩形画像要素の配置方向は、図１に示すように、図中左右方向であっても良いし、図中上下方向であっても良い。
また、フィルムベース１８上に画像層１６を形成する画像形成は特に限定されず、銀塩写真方式、インクジェット記録方式、電子写真方式、昇華方式の画像形成方法等の公知の画像形成方法のいずれによって形成されたものであっても良い。また、フィルムベース１８も画像層１６を支持することができれば、特に制限的ではなく、ＰＥＴ（ポリエチレンテレフタレート）、ＰＰ（ポリプロピレン）、ＰＳ（ポリスチレン）、ポリイミド、塩化ビニル等の公知のフィルム材料製のフィルムであっても良い。
また、画像フィルム２０、画像層１６及びフィルムベース１８の厚みも、立体視が可能であれば、特に制限的ではない。
【００２６】
偏光フィルム２２は、画像フィルム２０の画像層１６の右目用画像要素１６Ｒ及び左目用画像要素１６Ｌに、それぞれ対応して、右目用線状偏光グリッド２２Ｒ及び左目用線状偏光グリッド２２Ｌを、同じ配置間隔で交互に配置されるように形成したものである。なお、偏光フィルム２２は、透明であり、裸眼では、交互に形成されている右目用偏光グリッド２２Ｒ及び左目用偏光グリッド２２Ｌを視認することはできない。
しかしながら、例えば、偏光フィルム２２の裏側に白紙などを置いて、偏光眼鏡１２をかけ、偏光フィルタ１２Ｒ、１２Ｌを通して見ると、上述しように、右目用偏光フィルタ１２Ｒでは、右目用偏光グリッド２２Ｒからの光は透過し、左目用偏光グリッド２２Ｌからの光はカットされるため、偏光フィルタ１２Ｒを通して見ると、右目用偏光グリッド２２Ｒの領域（部分）は白く見え、左目用偏光グリッド２２Ｌの領域（部分）は黒く見え、白黒線が所定間隔で交互に並んで見える。一方、左目用偏光フィルタ１２Ｌでは、左目用偏光グリッド２２Ｌからの光は透過し、右目用偏光グリッド２２Ｒからの光はカットされるため、偏光フィルタ１２Ｌを通して見ると、左目用偏光グリッド２２Ｌの領域（部分）は白く見え、右目用偏光グリッド２２Ｒの領域（部分）は黒く見え、白黒線が所定間隔で交互に並んで見えることになる。
【００２７】
本発明では、偏光グリッド２２Ｒ、２２Ｌの幅及び配置間隔も、画像要素１６Ｒ、１６Ｌの幅及び配置間隔と全く同様に、例えば、２００μｍとすることができ、立体視が可能な間隔であれば特制限的ではなく、例えば、５０〜１０００μｍとすることができ、５０〜２００μｍとすることが好ましい。ここで、偏光グリッド２２Ｒ、２２Ｌの配置間隔とは、画像要素１６Ｒ、１６Ｌの配置間隔と全く同様に、隣接する２つの偏光グリッド２２Ｒ間の距離、すなわち図示例では、その間に挟まれる偏光グリッド２２Ｌの幅を指し、もしくは、隣接する２つの偏光グリッド２２Ｌ間の距離、すなわち図示例では、その間に挟まれる偏光グリッド２２Ｒの幅を指す。また、偏光グリッド２２Ｒ、２２Ｌの幅と配置間隔とは、画像要素１６Ｒ、１６Ｌの幅と配置間隔との関係と同様に、両者は同じであるのが好ましいが、本発明はこれに限定されず、異なっていても良く、幅の方が配置間隔より狭くても良い。
【００２８】
ここで、偏光フィルム２２の右目用グリッド２２Ｒ及び左目用グリッド２２Ｌは、画像フィルム２０の画像要素１６Ｒ及び１６Ｌと対応していれば、全く同様に、線状画像要素として交互に配置されるものであっても良いし、矩形画像要素として市松模様に配置されるものであっても良いし、また、線状画像要素や矩形画像要素の配置方向は、図１に示すように、図中左右方向であっても良いし、図中上下方向であっても良い。
なお、偏光フィルム２２は、特に制限的ではなく、ＰＶＡ（ポリビニルアルコール）にヨウ素化合物を吸着配向させた偏光層を、補強のためにＴＡＣ（トリアセチルセルロース）の層で保護したものや、ＴＡＣの代わりに、もしくはＴＡＣの層に加えて、ＰＥＴの層で保護したものなどの従来公知の偏光フィルムを用いることができる。なお、偏光フィルム２２は、偏光層に加え、位相差層等の光学補償層を有していても良いし、ＴＡＣやＰＥＴ等の保護層は、１層であっても、複数層であっても良い。
また、偏光フィルム２２の厚みも、立体視が可能であれば、特に制限的ではない。
【００２９】
このような立体画像プリント１０を製造する際には、図２（Ａ）に示すように、画像フィルム２０に含まれる右目用画像要素１６Ｒ及び左目用画像要素１６Ｌが交互に多数形成された画像層１６（図１参照）が存在する矩形状の画像領域２４ａ及びこれらの画像要素１６Ｒ、１６Ｌが形成されていない、従って、画像層１６が存在しない、すなわち画像領域２４ａの４辺の外側を囲む非画像領域２４ｂと、を有する矩形状の画像フィルム原紙２４を準備する。
ここで、図２（Ａ）に示すように、画像フィルム原紙２４の非画像領域２４ｂの４隅には、４つの画像フィルム用位置合せマーカ２６がそれぞれ形成されている。
図示例においては、非画像領域２４ｂの４隅に、４つの位置合せマーカ２６をそれぞれ形成しているが、本発明はこれに限定されず、非画像領域２４ｂのどこかに少なくとも１つのマーカ２６を形成しておけば良く、マーカ２６を設ける位置も非画像領域２４ｂであればどこでも良く、また、マーカ２６の数も幾つであっても良い。
なお、図示例では、画像フィルム２０、画像領域２４ａ、画像フィルム原紙２４及びマーカ２６の形状は、矩形状であるが、これに限定されず、いかなる形状であっても良い。
【００３０】
一方、これと共に、図２（Ｂ）に示すように、画像フィルム２０の右目用及び左目用画像要素１６Ｒ、１６Ｌに対応して同じ間隔で、偏光フィルム２２に含まれる右目用偏光グリッド２２Ｒ及び左目用偏光グリッド２２Ｌが交互に多数形成され（図１参照）、画像フィルム２０の画像領域２４ａに対応する矩形状のグリッド領域２８ａと、偏光グリッド２２Ｒ、２２Ｌが形成されていない、すなわち、グリッド領域２８ａの４辺の外側を囲む非グリッド領域２８ｂと、を有する透明な矩形状の偏光フィルム原紙２８を準備する。
偏光フィルム原紙２８のグリッド領域２８ａのサイズは、画像フィルム２０の画像領域２４ａと同じ又は略同一であるのが好ましく、両者は異なっていても良いが、両者のサイズが異なる場合には、グリッド領域２８ａのサイズが、画像領域２４ａのサイズより大きい方が良い。また、偏光フィルム原紙２８のサイズは、画像フィルム原紙２４のサイズと同じ又は略同一であるのが好ましいが、異なっていても良い。両者のサイズが異なる場合には、偏光フィルム原紙２８のサイズが、画像フィルム原紙２４のサイズより大きい方が良い。
【００３１】
ここで、図２（Ｂ）に示すように、偏光フィルム原紙２８の非グリッド領域２８ｂの４隅には、図２（Ｂ）に示す画像フィルム原紙２４の画像フィルム用位置合せマーカ２６に対応して同じ位置に同じサイズの４つの偏光フィルム用位置合せマーカ３０がそれぞれ形成されている。
図示例においては、非グリッド領域２８ｂの４隅に、４つの位置合せマーカ３０をそれぞれ形成しているが、本発明はこれに限定されず、画像フィルム原紙２４の画像フィルム用位置合せマーカ２６に正確に対応する位置であれば、非グリッド領域２８ｂのどこかに少なくとも１つのマーカ３０を形成しておけば良く、マーカ３０を設ける位置も非グリッド領域２８ｂであればどこでも良く、また、マーカ２６に正確に対応していればマーカ３０の数も幾つであっても良い。
なお、図示例では、偏光フィルム２２、グリッド領域２８ａ、偏光フィルム原紙２８及びマーカ３０の形状は、矩形状であるが、本発明ではこれに限定されず、いかなる形状であっても良いが、画像フィルム２０、画像領域２４ａ、画像フィルム原紙２４及びマーカ２６の形状に対応しているのが好ましい。
【００３２】
次に、本発明の第１実施形態の位置合せ方法及びこれに用いられる画像フィルム用位置合せマーカ及び偏光フィルム用位置合せマーカについて説明する。
本発明の第１実施形態の位置合せ方法は、画像フィルム用位置合せマーカ及び偏光フィルム用位置合せマーカの２つを用いて位置合わせを行うものである。
図３（Ａ）及び（Ｂ）に、本発明の第１実施形態の画像フィルム用位置合せマーカ及び偏光フィルム用位置合せマーカの一実施例を示す。
まず、本発明の第１実施形態の特徴とする画像フィルム用位置合せマーカの一実施例について説明する。
本発明の位置合せマーカ２６は、図３（Ａ）に示すように、同図中、左下に配置される目盛部３２と、中央に配置される目盛部３４と、右下に配置される目盛部３６と、目盛部３２、３４及び３６の上側に配置される目盛部３８とを有する。また、目盛部３２の図中左右両側には、目盛４０ａ及び４０ｂが配置され、目盛部３６の図中左右両側には、目盛４０ｃ及び４０ｄが配置され、目盛部３８の図中上側には、目盛４０ｅが配置され、目盛４０ｅの上側の両側には、鉤印４０ｆ及び４０ｇが配置される。
【００３３】
目盛部３２及び３６は、右目用画像要素１６Ｒ及び左目用画像要素１６Ｌのいずれか一方に対応し、その配置間隔と同じ幅を持つ所定長さの線分（線画像）４１を、所定方向、図中の上下方向、例えば画像要素１６Ｒ及び１６Ｌの配列方向と同じ方向に配置間隔より広い間隔を空けて所定の長さに亘って配置したものである。すなわち、具体的には、目盛部３２及び３６では、右目用画像要素１６Ｒ及び左目用画像要素１６Ｌのいずれか一方を所定長さの黒線４１とした時、この黒線４１を白地上に画像要素の配置間隔より拡大された間隔（拡大間隔）を空けて多数配列したものと同じになり、黒線４１と、黒線４１より幅の広い白線とが交互に多数並んだものとなる。
【００３４】
一方、目盛部３４は、画像領域２４ａにおける画像要素１６Ｒ及び１６Ｌの配置間隔と同じ配置間隔で、所定長さの黒線４１を、目盛部３２及び３６と同様な所定長さに亘って配置したものであり、黒線４１と、黒線４１と同じ幅の白線とが交互に多数並んだものとなる。
また、目盛部３８は、黒線４１の配列方向を目盛部３２及び３６のものと直交する方向に配置したものであり、黒線４１が白地上に上述した拡大間隔を空けて図中左右方向に多数配列されたものとなり、黒線４１と、黒線４１より幅の広い白線とが交互に図中左右方向に多数並んだものとなる。
ここで、本発明の画像フィルム用位置合せマーカ２６としては、目盛部３２、３６及び３８の１つを含んでいれば良く、好ましくは、目盛部３２及び３６の内の１つ並びに目盛部３８の２つを含んでいるのが良く、より好ましくは、目盛部３２及び３６の１つと、目盛部３４と、目盛部３８とを含んでいるのが良く、最も好ましくは、目盛部３２、３４、３６及び３８の全てを含んでいるのが良い。
【００３５】
目盛４０ａ、４０ｂ、４０ｃ及び４０ｄは、目盛部３２、３４及び３６における黒線４１の配列方向、すなわち図中上下方向に延在する黒線４１より太い目盛線を有し、この目盛線に上述した拡大間隔よりさらに大きい間隔で目盛線に直交する、黒線４１より細い線を目盛部３２及び３６の内側に向けて付したものである。なお、目盛４０ａ、４０ｂ、４０ｃ及び４０ｄの各目盛線は、マーカ２６の図中左右方向の位置合わせの基準線として用いることができる。
これに対し、目盛４０ｅは、目盛部３８における黒線４１の配列方向、すなわち図中左右方向に延在する黒線４１より太い目盛線を有し、この目盛線に上述した拡大間隔よりさらに大きい間隔で目盛線に直交する、黒線４１より細い線を上側に向けて付したものである。目盛４０ｅの太い目盛線は、マーカ２６の図中上下方向の位置合わせの基準線として用いることができる。
また、鉤印４０ｆ及び４０ｇは、目盛部３８における黒線４１の配列方向及びその直交方向（図中上下左右）に延びる鉤印であり、マーカ２６の図中上下左右方向の位置合わせの基準として用いることができる。
なお、マーカ２６は、目盛４０ａ、４０ｂ、４０ｃ、４０ｄ及び４０ｅ並びに鉤印４０ｆ及び４０ｇを全て含んでいるのが最も好ましく、多く含んでいる方がより好ましいが、全く含んでいなくても良い。
【００３６】
次に、本発明の第１実施形態の特徴とする偏光フィルム用位置合せマーカの一実施例について説明する。
本発明の位置合せマーカ３０は、図３（Ｂ）に示すように、同図中、左下に配置される検査部４２と、中央に配置される検査部４４と、右下に配置される検査部４６と、検査部４２、４４及び４６の上側に配置される検査部４８とを有する。また、検査部４２の図中左右両側には、目盛５０ａ及び５０ｂが配置され、検査部４６の図中左右両側には、目盛５０ｃ及び５０ｄが配置され、検査部４８の図中上側には、目盛５０ｅが配置され、目盛５０ｅの上側の両側には、鉤印５０ｆ及び５０ｇが配置される。
【００３７】
検査部４２、４４及び４６は、右目用偏光グリッド２２Ｒ及び左目用偏光グリッド２２Ｌのいずれか一方に対応し、偏光フィルタを通した時に、その配置間隔と同じ幅を持つ所定長さの黒い線分（線画像）５１が、所定方向、図中の上下方向、例えば偏光グリッド２２Ｒ及び２２Ｌの配列方向と同じ方向に同じ配置間隔で所定の長さに亘って配置されたものとして視認することができるものである。すなわち、具体的には、検査部４２、４４及び４６では、偏光フィルタを通した時に、右目用偏光グリッド２２Ｒ及び左目用偏光グリッド２２Ｌのいずれか一方からの光がカットされて所定長さの黒線４１と見え、他方からの光が透過して白線と見える時、この黒線５１と白線とが交互に偏光グリッドの配置間隔で多数配列されたものとなる。
【００３８】
また、検査部４８は、同じ偏光フィルタを通した時に見える黒線５１の配列方向を検査部４２、４４及び４６のものと直交する方向に配置したものであり、検査部４２、４４及び４６と同様に、偏光フィルタを通した時に、黒線５１と白線とが交互に偏光グリッドの配置間隔で、但し図中左右方向に、多数配列されたものとなる。
ここで、偏光フィルム用位置合わせマーカ３０の検査部４２、４４、４６及び４８は、偏光フィルタを通した時に見えるものであるが、検査部４２、４６及び４８における黒線５１の配置間隔を除けば、画像フィルム用位置合わせマーカ２６の目盛部３２、３４、３６及び３８と、全く同じ位置に全く全体形状で同じに配置される。
ここで、本発明の偏光フィルム用位置合せマーカ３０としては、画像フィルム用位置合せマーカ２６と正確に対応している必要があるので、同様に、検査部４２、４６及び４８の１つを含んでいれば良く、好ましくは、検査部４２及び４６の内の１つ並びに検査部４８の２つを含んでいるのが良く、より好ましくは、検査部４２及び４６の１つと、検査部４４と４８との３つを含んでいるのが良く、最も好ましくは、検査部４２、４４、４６及び４８の全てを含んでいるのが良い。
【００３９】
また、目盛５０ａ、５０ｂ、５０ｃ、５０ｄ及び５０ｅ、並びに鉤印５０ｆ及び５０ｇは、偏光フィルタを通した時に黒線５１が見える点を除けば、それぞれ、画像フィルム用位置合わせマーカ２６の目盛４０ａ、４０ｂ、４０ｃ，４０ｄ及び４０ｅ，並びに鉤印４０ｆ及び４０ｇと全く同じ構成であり、同様に、目盛５０ａ、５０ｂ、５０ｃ及び５０ｄの各太い目盛線は、マーカ３０の図中左右方向の位置合わせの基準線として用いることができるし、目盛５０ｅの太い目盛線は、マーカ３０の図中上下方向の位置合わせの基準線として用いることができるし、また、鉤印５０ｆ及び５０ｇは、マーカ３０の図中上下左右方向の位置合わせの基準として用いることができる。
なお、マーカ３０は、目盛５０ａ、５０ｂ、５０ｃ、５０ｄ及び５０ｅ並びに鉤印５０ｆ及び５０ｇを全て含んでいるのが最も好ましく、多く含んでいる方がより好ましいが、全く含んでいなくても良い。
【００４０】
本発明の第１実施形態の位置合せ方法では、以上のように構成される画像フィルム用位置合わせマーカ２６と偏光フィルム用位置合わせマーカ３０とが、偏光フィルタを通して見た時に正確に重なるように、画像フィルム原紙２４と偏光フィルム原紙２８とを重ねて位置合わせすることができる。
画像フィルム原紙２４と偏光フィルム原紙２８との位置合わせに際しては、偏光フィルタを通して、マーカ２６の目盛４０ａ、４０ｂ、４０ｃ及び４０ｄの各太い目盛線、並びに鉤印４０ｆ及び４０ｇと、マーカ３０の目盛５０ａ、５０ｂ、５０ｃ及び５０ｄの各太い目盛線、並びに鉤印５０ｆ及び５０ｇとをそれぞれ位置合わせ基準として重ね図中左右方向の概略の位置合わせを行うと共に、マーカ２６の目盛４０ｅの太い目盛線、並びに鉤印４０ｆ及び４０ｇと、マーカ３０の目盛５０ｅの太い目盛線、並びに鉤印５０ｆ及び５０ｇとをそれぞれ位置合わせ基準として重ね図中上下方向の概略の位置合わせを行う。
次に、マーカ２６の目盛部３２、３４、３６及び３８と、マーカ３０の検査部４２、４４、４６及び４８とを用いてそれぞれ重ね合わせ、重ね合わされた各部分に発生したモアレのパターンを用いて正確な位置合わせを行う。
【００４１】
図４に、画像フィルム用位置合わせマーカ２６と偏光フィルム用位置合わせマーカ３０とが、偏光フィルタを通した時に、正確に重なって位置合わせされた時に発生するモアレのパターンの一例を示す。なお、以下の説明では、偏光フィルタを通した状態であり、視認できるものとして説明する。
まず、マーカ２６の目盛部３２とマーカ３０の検査部４２とが重なった部分５２、及び同目盛部３６と同検査部４６とが重なった部分５６では、目盛部３２及び３６の１本の黒線４１と検査部４２及び４６の１本の黒線５１とが重なった時に、例えば、図４の重なり部分５２の一部分５２ａに示すように、１周期のモアレパターンが発生し、このモアレパターンが同様に繰り返されることにより、図示のような所定の周期を持つモアレパターンが発生する。このようなモアレパターンの発生によって、重なり部分５２では目盛部３２と検査部４２とが、重なり部分５６では目盛部３６と検査部４６とが正確に位置合せされており、画像フィルム原紙２４と偏光フィルム原紙２８との、従って、画像フィルム２０と偏光フィルム２２との、図中上下方向の位置合わせが正確であることを確認することができる。
【００４２】
一方、マーカ２６の目盛部３８とマーカ３０の検査部４８とが重なった部分５８では、目盛部３８の１本の黒線４１と検査部４８の１本の黒線５１とが重なった時に、図示のような所定の周期を持つモアレパターンが発生する。このモアレパターンは発生する方向が異なるが、上述した重なり部分５２及び５６と全く同じモアレパターンである。このようなモアレパターンの発生によって、重なり部分５８では目盛部３８と検査部４８とが正確に位置合せされており、画像フィルム原紙２４と偏光フィルム原紙２８との、従って、画像フィルム２０と偏光フィルム２２との、図中左右方向の位置合わせが正確であることを確認することができる。
なお、マーカ２６の目盛部３４とマーカ３０の目盛部４４との重なり部分５４では、目盛部３４の全ての黒線４１が目盛部４４の全ての黒線５１と正確に位置合せされて過不足なく重なっており、白黒のパターンのみが視認され、モアレは発生していない。このように、重なり部分５４にモアレの発生がないことによっても、正確な位置合わせを確認できる。
【００４３】
以上のように、本発明の第１実施形態においては、基本的には、マーカ２６の目盛部３２とマーカ３０の検査部４２との重なり部分５２、同目盛部３６と同検査部４６との重なり部分５６及び同目盛部３８と同検査部４８との重なり部分５８の少なくとも１つの重ね合わせの微調整を行い、重なり部分５２、５６及び５８の少なくとも一つに発生するモアレパターンを調整して、所定のモアレパターンを発生させることにより、画像フィルム原紙２４（画像フィルム２０）と偏光フィルム原紙２８（偏光フィルム２２）との位置合わせを、簡便に、かつ正確に、短時間で効率良く行うことができる。もちろん、重なり部分５２、５６及び５８の２つ以上を微調整し、これらに所定のモアレパターンを発生させることにより、より正確な位置合わせをより効率良く行うことができる。また、これと同時に、同目盛部３４と同検査部４４との重なり部分５４へのモアレの発生がないように微調整することによっても、より正確な位置合わせをより効率良く行うことができる。
【００４４】
すなわち、本発明の第１の実施形態の位置合せ方法は、最初から、重なり部分５４のように、画像フィルム２０の画像要素の微細な白黒パターンと偏光フィルム２２の偏光グリッドの微細な白黒パターンとを直接重ねて、重なり部分が白黒パターンのみとなり、モアレの発生がないように調整するのに比較して、重なり部分５２、５６及び５８の拡大されたモアレパターンによって調整できるので、極めて簡単に、かつ正確に、効率良く位置合わせができる。
また、本発明の第１実施形態の位置合せ方法では、このようにして、重なり部分５２、５６及び５８の拡大されたモアレパターンによって調整した後、重なり部分５４が白黒パターンのみとなり、モアレの発生がないように微調整することにより、予め拡大されたモアレパターンによって画像フィルム２０の画像要素の微細な白黒パターンと偏光フィルム２２の偏光グリッドの微細な白黒パターンとが正確に調整されている状態で、モアレの発生のない白黒パターンのみになるように僅かに微調整すればよいので、位置合わせを極めて正確に、かつ簡単に、効率良く行うことができる。
本発明の第１実施形態の位置合せ方法及びこれに用いられる画像フィルム用位置合せマーカ及び偏光フィルム用位置合せマーカは、基本的に以上のように構成される。
【００４５】
次に、本発明の第２実施形態の位置合せ方法に用いられる画像フィルム用位置合せマーカ及び偏光フィルム用位置合せマーカについて説明する。
本発明の第２実施形態の位置合せ方法は、画像フィルム用位置合せマーカのみを用い、これを偏光フィルム（偏光フィルム原紙）と重ね合わせて位置合わせを行うものである。
図５に、本発明の第２実施形態の画像フィルム用位置合せマーカの一実施例を示す。
同図に示す位置合せマーカ６０は、本発明の第２実施形態の特徴とする画像フィルム用位置合せマーカであって、本発明の第２実施形態の位置合せマーカ２６の代わりに用いられるものであって、同図中、中央に配置される目盛部６２と、右に配置される目盛部６４と、左に配置される目盛部６６とを有する。
また、目盛部６２の図中左右両側には、目盛６８ａ及び６８ｂが配置され、目盛部６４の図中左右両側には、目盛６８ｃ及び６８ｄが配置される。
【００４６】
目盛部６２及び６４は、それぞれ、右目用画像要素１６Ｒ及び左目用画像要素１６Ｌのいずれか一方に対応し、その配置間隔と同じ幅を持つ所定長さの黒線６９を、所定方向、図中の上下方向、例えば画像要素１６Ｒ及び１６Ｌの配列方向と同じ方向に配置間隔より広い間隔を空けて所定の長さに亘って配置した第１領域６２ａ及び６４ａと、配置間隔と同じ幅を持つ黒線６９ａを、第１領域６２ａ及び６４ａの黒線６９に対して所定角度（例えば、微小角θだけ）傾斜させて配列した第２領域６２ｂ及び６４ｂとを有する。
ここで、具体的には、第１領域６２ａ及び６４ａでは、マーカ２６の目盛部３２及び３６と同様に、右目用画像要素１６Ｒ及び左目用画像要素１６Ｌのいずれか一方を所定長さの黒線６９とした時、この黒線６９を白地上に画像要素の配置間隔より拡大された間隔（拡大間隔）を空けて多数配列したものと同じになり、黒線６９と、黒線６９より幅の広い白線とが交互に多数並んだものとなる。
【００４７】
これに対し、第２領域６２ｂ及び６４ｂは、第１領域６２ａ及び６４ａの黒線６９に対して所定角度（例えば、微小角θだけ）傾斜させた黒線６９ａと、傾斜黒線６９ａより幅の広い傾斜白線とが平行に交互に多数並んだものとなる。これらの第２領域６２ｂ及び６４ｂを設け、平行な黒線６９に対して微小角θだけ傾けた傾斜黒線６９ａを配列することにより、位置ずれを拡大して検知することができ、必要に応じて、位置ずれ量を検出することも可能である。
ここで、傾斜角度θは、１〜１５°であるのが好ましい。その理由は、傾斜角度θがこの範囲であれば、位置ずれを拡大して検知することが確実にできるからである。
【００４８】
一方、目盛部６６は、画像領域２４ａにおける画像要素１６Ｒ及び１６Ｌの配置間隔と同じ配置間隔で、所定長さの黒線６９を、目盛部６２及び６４と同様な所定長さに亘って配置したものであり、黒線６９と、黒線６９と同じ幅の白線とが交互に多数並んだものとなる。
ここで、本発明の画像フィルム用位置合せマーカ６０としては、目盛部６２及び６４の第１領域６２ａ及び６４ａの１つを含んでいれば良く、好ましくは、第１領域６２ａ及び６４ａの少なくとも１つ並びに目盛部６２及び６４の第２領域６２ｂ及び６４ｂの少なくとも１つの２つを含んでいるのが良く、より好ましくは、これらに、さらに、目盛部６６含んでいるのが良く、最も好ましくは、第１領域６２ａ及び６４ａ、第２領域６２ｂ及び６４ｂ、並びに目盛部６６の全てを含んでいるのが良い。
【００４９】
目盛６８ａ、６８ｂ、６８ｃ及び６８ｄは、目盛部６２及び６４における黒線６９の配列方向、すなわち図中上下方向に延在する黒線６９より太い目盛線を有し、この目盛線に上述した拡大間隔よりさらに大きい間隔で目盛線に直交する、黒線６９より太い横線を目盛部６２及び６４の内側に向けて付したものである。なお、目盛６８ａ、６８ｂ、６８ｃ及び６８ｄの各目盛線は、マーカ６０の図中左右方向の位置合わせの基準線として用いることができ、目盛６８ａ、６８ｂ、６８ｃ及び６８ｄの各目盛線に付された太い横線は、マーカ６０の図中上下方向の位置合わせの基準線として用いることができる。ここで、目盛６８ｂ及び６８ｃは、共通の目盛線を有する。
なお、目盛部６４の左右両側に配置される目盛６８ｃ及び６８ｄは、目盛６８ａ及び６８ｂと異なる位置に太い横線が付され、両上端は、鉤印となり、目盛部６４における黒線６９の配列方向及びその直交方向（図中上下左右）に延びる鉤印であり、マーカ６０の図中上下左右方向の位置合わせの基準として用いることができる。
なお、マーカ６０は、目盛６８ａ、６８ｂ、６８ｃ及び６８ｄを全て含んでいるのが最も好ましく、多く含んでいる方がより好ましいが、全く含んでいなくても良い。
【００５０】
本発明の第２実施形態の位置合せ方法では、以上のように構成される画像フィルム用位置合わせマーカ６０が、偏光フィルム原紙２８と、偏光フィルタを通して見た時に正確に重なるように、画像フィルム原紙２４と偏光フィルム原紙２８とを重ねて位置合わせすることができる。
画像フィルム原紙２４と偏光フィルム原紙２８との位置合わせに際しては、偏光フィルタを通して、マーカ６０の目盛６８ａ、６８ｂ、６８ｃ及び６８ｄの各太い目盛線に付された各太い横線をそれぞれ位置合わせ基準として重ね図中上下方向の概略の位置合わせを行う。
次に、偏光フィルム原紙２８と重ねられたマーカ６０の目盛部６２及び６４の各領域部分に発生したモアレのパターンを用いて正確な位置合わせを行う。
【００５１】
図６に、画像フィルム用位置合わせマーカ６０と偏光フィルム原紙２８とが、偏光フィルタを通した時に、正確に重なって位置合わせされた時に目盛部６２及び６４に発生するモアレのパターンの一例を示す。なお、以下の説明では、偏光フィルタを通した状態であり、視認できるものとして説明する。
まず、マーカ６０の目盛部６２が偏光フィルム原紙２８と重なった部分７０、及び同目盛部６４が偏光フィルム原紙２８と重なった部分７２では、目盛部６２及び６４の第１領域６２ａ及び６４ａの１本の黒線６９と偏光フィルム原紙２８の１本の黒線とが重なった時に、例えば、図６の重なり部分７０の第１領域７０ａに示すように、１周期のモアレパターンが発生し、このモアレパターンが同様に繰り返されることにより、図示のような所定の周期を持つモアレパターンが発生する。このようなモアレパターンの発生によって、重なり部分７０の第１領域７０ａでは目盛部６２の第１領域６２ａと偏光フィルム原紙２８とが、重なり部分７０の第１領域７２ａでは目盛部６４の第１領域６４ａと偏光フィルム原紙２８とが正確に位置合せされており、画像フィルム原紙２４と偏光フィルム原紙２８との、従って、画像フィルム２０と偏光フィルム２２との、図中上下方向の位置合わせが正確であることを確認することができる。
【００５２】
一方、マーカ６０の目盛部６２及び６４の第２領域６２ｂ及び６４ｂと偏光フィルム原紙２８とが重なった部分７０及び７２の第２領域７０ｂ及び７２ｂでは、第２領域６２ｂ又は６４ｂの１本の傾斜黒線６９ａと偏光フィルム原紙２８の１本の黒線とが重なった時に、図示のように、傾斜黒線６９ａの傾斜方向とは逆方向に傾斜する、所定の周期を持つモアレパターンが発生する。このようなモアレパターンの発生によって、重なり部分７０及び７２の第２領域７０ｂ及び７２ｂでは、目盛部６２及び６４の第２領域６２ｂ及び６４ｂと偏光フィルム原紙２８とが正確に位置合せされており、画像フィルム原紙２４と偏光フィルム原紙２８との、従って、画像フィルム２０と偏光フィルム２２との、図中左右方向の位置合わせが正確であることを確認することができる。
【００５３】
また、重なり部分７０及び７２の第２領域７０ｂ及び７２ｂによる位置合わせでは、第１領域７０ａ及び７２ａによる位置合わせに比べて、位置ずれを拡大して検知することができるので、より正確な位置合わせをすることができる。また、傾斜角度θによっては、図中上下方向、又は、上下左右方向の位置合わせも可能である。
なお、図示していないが、マーカ６０の目盛部６６と偏光フィルム原紙２８との重なり部分では、目盛部６６の全ての黒線６９が偏光フィルム原紙２８の全ての黒線と正確に位置合せされて過不足なく重なっており、白黒のパターンのみが視認され、モアレは発生していない。このような重なり部分にモアレの発生がないことによっても、正確な位置合わせを確認できる。
【００５４】
以上のように、本発明の第２の実施形態においては、基本的には、マーカ６０の目盛部６２の第１領域６２ａと偏光フィルム原紙２８との重なり部分７０の第１領域７０ａ、及び同目盛部６４の第１領域６４ａと偏光フィルム原紙２８との重なり部分７２の第１領域７２ａの少なくとも１つの重ね合わせの微調整を行い、第１領域７０ａ及び７２ａの少なくとも一方に発生するモアレパターンを調整して、所定のモアレパターンを発生させることにより、画像フィルム原紙２４（画像フィルム２０）と偏光フィルム原紙２８（偏光フィルム２２）との位置合わせを、簡便に、かつ正確に、短時間で効率良く行うことができる。もちろん、これに加え、さらに、重なり部分７０の第２領域７０ｂ及び重なり部分７２の第２領域７２ｂの少なくとも一方を微調整し、これに所定のモアレパターンを発生させることにより、より正確な位置合わせをより効率良く行うことができる。また、これと同時に、同目盛部６６と偏光フィルム原紙２８の重なり部分へのモアレの発生がないように微調整することによっても、より正確な位置合わせをより効率良く行うことができる。
【００５５】
すなわち、本発明の第２の実施形態の位置合せ方法は、最初から、同目盛部６６と偏光フィルム原紙２８との重なり部分のように画像フィルム２０の画像要素の微細な白黒パターンと偏光フィルム２２の偏光グリッドの微細な白黒パターンとを直接重ねて、重なり部分が白黒パターンのみとなり、モアレの発生がないように調整するのに比較して、重なり部分７０及び７２の拡大されたモアレパターンによって調整できるので、極めて簡単に、かつ正確に、効率良く位置合わせができる。
また、本発明の第２実施形態の位置合せ方法では、このようにして、重なり部分７０及び７２の拡大されたモアレパターンによって調整した後、位置合せマーカ６０の目盛部６６と偏光フィルム原紙２８との重なり部分が白黒パターンのみとなり、モアレの発生がないように微調整することにより、予め拡大されたモアレパターンによって画像フィルム２０の画像要素の微細な白黒パターンと偏光フィルム２２の偏光グリッドの微細な白黒パターンとが正確に調整されている状態で、モアレの発生のない白黒パターンのみになるように僅かに微調整すればよいので、位置合わせを極めて正確に、かつ簡単に、効率良く行うことができる。
【００５６】
また、本発明の第２の実施形態の位置合せ方法は、偏光フィルム２２側に、すなわち、偏光フィルム原紙２８に位置合せマーカ等を形成しておく必要がないので、立体画像プリントの製造工程を簡素化でき、立体画像プリントのコストダウンを図ることができる。
なお、上述した例では、本第２の実施形態において、図５に示す画像フィルム２０の位置合せマーカ６０を用いているが、本発明はこれに限定されず、第１の実施形態において用いられる画像フィルム用位置合せマーカ、例えば、図３（Ａ）に示す位置合せマーカ２６を用いても良い。
本発明の第２実施形態の位置合せ方法及びこれに用いられる画像フィルム用位置合せマーカは、基本的に以上のように構成される。
【００５７】
次に、本発明の立体画像プリントの位置合せ方法に用いられる位置合せマーカ（２６と３０）同志、又は位置合せマーカ（６０）と偏光フィルム２２（原紙２８）との重なり部分に発生するモアレの視認を、偏光眼鏡をかけて人間の目によって偏光フィルタを通して行う場合には、すなわち本発明の位置合せを目合わせによって行う場合には、人間の目に視認しやすいモアレであるのが好ましい。
このため、本発明においては、発生するモアレパターンの空間周波数特性を制御することにより、マーカの画像解像度やサイズを制御して、人間の目に視認しやすいモアレを発生させることができる。
【００５８】
このモアレパターンの空間周波数特性の制御方法について説明する。
ここで、現在の位置合せマーカによって発生しているモアレパターンが、図７（Ａ）に示すモアレパターン７４であるとする。
まず、図７（Ａ）に示すモアレパターン７４をフーリエ変換して、第１スペクトルを生成する。得られた第１スペクトルを図８に実線で示す。
次に、図８に実線で示される第１スペクトルで示される空間周波数特性に、図９の実線で示す人間の視覚関数（観察距離３０ｃｍ）を乗算して第２スペクトルを生成する。得られた第２スペクトルを図８に点線で示す。
次に、図８に点線で示される第２スペクトルを全空間周波数帯域で積分して得られた積分値が、人間の視覚応答特性に略一致するため、位置合せマーカの画像解像度やサイズなどの制限で、最大値を取るようなモアレパターンを生成する。こうして得られたモアレパターン７６を図７（Ｂ）に示す。
こうして、図７（Ｂ）に示すような、目合わせによる位置合わせを考慮した見易いモアレパターンを生成することができる。
【００５９】
ここでは、人間の目による目合わせによる位置合わせの例を説明したが、本発明は、これに限定されず、カメラのレンズに偏光フィルタを取り付けて、発生したモアレパターンを検知することにより、正確な位置合わせを行うことができる。なお、モアレパターンの検知は、予め取得された正確な位置合わせで発生するモアレパターンと、位置合わせで発生したモアレパターンとをパターンマッチング等で検出し、一致度を求めることなどにより、位置合せの自動化を図ることができる。
もちろん、位置合せのための画像フィルム（原紙）と偏光フィルム（原紙）との相対移動や、微調整なども自動的に行うことができる。
【００６０】
上述した第１及び第２の実施形態では、画像フィルム２０（原紙２４）の画像要素の微細白黒パターンと偏光フィルタを通した時に見える偏光フィルム２２（原紙２８）の偏光グリッドの微細白黒パターンとの正確な位置合わせを、位置合せマーカ２６及び３０、又は６０を用いて、これらの微細白黒パターンより拡大されたモアレパターンによって簡単に精度良く行うことができる。
しかしながら、画像フィルムの画面のサイズが大きい場合や広幅の場合、偏光フィルムを、画像フィルムの大サイズの画面や、広幅の画面に位置合わせする時、画像フィルムの左目用画像要素、右目用画像要素と偏光（位相差）フィルムの左目用偏光グリッド、右目用偏光グリッドとを、第１の実施形態のように、画像フィルム用第１マーカ及び偏光フィルム用第２マーカ、又は、第２の実施形態のように、画像フィルム用第１マーカのみを用いて、それぞれ互いに微視的に精度良く合わせても、それだけでは、巨視的に起こるグリッド周期の位置ずれが検出できず、結果的に正確な位置合わせができない場合がある。特に、画像フィルム用第１マーカのみを用いて微視的な位置合わせを行う場合には、巨視的に起こるグリッド周期の位置ずれが検出できず、結果的に正確な位置合わせができないことがある。
【００６１】
例えば、図１０に示す重なり部分８０のように、画像フィルムの画像要素の白黒パターンの周期が偏光フィルムの偏光グリッドの白黒パターンの周期と同一である場合に、本発明の第２の実施形態のように、画像フィルムの第１マーカ８２のみを用いて、大サイズ画面の画像フィルムと偏光フィルムとを位置合わせして重ね合わせた時、重なり部分８０の両端で微妙な角度ずれ、例えば、１周期の角度ずれを生じた状態で位置合せされている場合、２つのマーカ８２が間隔を空けて存在する重なり部分８０の両側の第１の領域８４ａ及び８４ｅでは、微視的に正確に置合わせされていても、マーカ８０が存在していない重なり部分８０の中央の第２の領域８４ｃでは、半周期の位置ずれを起こしてしまう。
このため、微視的に正確に置合わせされている重なり部分８０の第１の領域８４ａ及び８４ｅでは、画像フィルムの画像要素と偏光フィルムの偏光グリッドとの微細白黒パターンは一致しているので、同じ周期の白黒パターンを確認することができる。
【００６２】
一方、半周期の位置ずれを起こしている第２の領域８４ｃでは、画像フィルムの画像要素の白黒パターンが偏光フィルムの偏光グリッドの黒白パターンにぴったり重なるので、全面黒ベタとなり、白黒パターンを全く確認することができず、その反射濃度も透過濃度も、第１の領域８４ａ及び８４ｅに比べて高濃度となり、その反射光量又は透過光量、従って、検出光量は、第１の領域８４ａ及び８４ｅに比べて低くなる。
また、重なり部分８０の両側の第１の領域８４ａ及び８４ｅと、中央の第２の領域８４ｃとの間に挟まれた第３の領域８４ｂ及び８４ｄでは、画像フィルムの画像要素の白黒パターンが偏光フィルムの偏光グリッドの黒白パターンに部分的に重ねるために、白黒パターンを確認することはできるが、重なり部分８０の白パターンの幅が狭くなり、黒パターンの幅が広くなるので、その反射濃度も透過濃度も、その反射光量、透過光量、検出光量も、第１の領域８４ａ及び８４ｅと、第２の領域８４ｃとの中間となる。
【００６３】
なお、図１０に示す例では、理解を容易にするために、画像フィルムの画像要素を白黒グリッドパターンとして表わし、偏光フィルタを通して見た時の偏光フィルムの偏光グリッドの透過及び遮断（不透過）をも白黒パターンで表わしている。
また、図１０に示す例では、第１の領域８４ａと第３の領域８４ｂとの間、第３の領域８４ｂと第２の領域８４ｃとの間、第２の領域８４ｃと第３の領域８４ｄとの間、及び第３の領域８４ｄと第１の領域８４ｅとの間には、理解を容易にするために、明確な境界線が描かれているが、図１０に示す例では、位置ずれは、重なり部分８０両端からの第２の領域８４ｃ中心に向かって徐々に大きくなるので、実際には、明確な境界線は存在しないことは言うまでもない。
本明細書では、以下でも、同様である。
【００６４】
また、画像フィルムの画面サイズが大きくなればなるほど、微妙な角度ずれが、画像フィルムと偏光フィルムの重なり部分の両端で周期ずれを起こし易くなり、例えば、図１１に示す重なり部分８６のように、複数周期のずれ、図示例では４周期のずれを起こしてしまうことになる。これから、小さいマーカ８２で検出できない微妙な角度ずれが周期ずれを起こしていることが分かる。
このため、周期ずれを検出し、防止するためには、小さいマーカ８２で検出できる角度ずれよりも小さな角度ずれを検出する必要がある。
【００６５】
ところで、複数周期のずれを起こすと、重なり部分８６の両端では、画像フィルムと偏光フィルムの両白黒パターンは位置ずれなく一致しているものの、途中では位置ずれのある部分が必ず存在するため、重なり部分８６には、重なりの繰り返しパターン８８が複数回（図示例では４回）繰り返されることになる。そして、重なりの繰り返しパターン８８は、図１０に示すような両側の第１の領域８４ａ及び８４ｅと、中央の第２の領域８４ｃと、その間の第３の領域８４ｂ及び８４ｄからなる。
即ち、本発明者らは、図１０及び図１１から明らかなように、周期ずれを起こした画像フィルムと偏光フィルムとの重なり部分８０及び８６には、白黒パターンの長手方向に濃度ムラ、従って、反射光量又は透過光量のムラが存在することを知見し、その結果、画像プリント原紙の非画像領域に、偏光フィルムの白黒パターンとほぼ同じ又は整数倍の間隔を持ち、画像要素の白黒パターンの長手方向に延在する複数の線画像からなる周期ずれ防止マーカを設けておき、偏光フィルムを重ねて、周期ずれ防止マーカの部分の光量を検出することにより、周期ずれを検出できることを知見し、本発明の第３の実施形態の位置合せ方法に至ったものである。
【００６６】
本発明の第３の実施形態の位置合せ方法は、微視的な位置合せをするために、上記第１又は第２の実施形態の位置合せ方法、特に第２の実施形態の位置合せ方法を実施した後、画像フィルムに予め形成された周期ずれ防止マーカを用いて周期ずれの検出を行い、周期ずれを防止する、又は無くすように位置合わせを行いことにより、画像フィルムと偏光フィルムとの周期ずれも微視的なずれもない位置合わせを行うものである。
以下に、本発明の第３の実施形態の位置合せ方法に用いられる画像フィルム用位置合せマーカ及び周期ずれ防止マーカ、並びに、画像フィルム原紙及び偏光フィルム原紙について説明する。
以下では、本発明の第３の実施形態の位置合せ方法において、画像フィルムと偏光フィルムとの微視的な位置合せをするために、本発明の第２の実施形態の位置合せ方法を実施する場合を代表例として説明するが、本発明はこれに限定されないのは言うまでもない。
図１２（Ａ）に、本発明の微視的な位置合せをするための位置合せマーカ及び周期ずれの検出及び防止を行うための周期ずれ防止マーカを備える画像フィルム原紙の一実施例を示し、図１２（Ｂ）に、図１２（Ａ）に示す画像フィルム原紙に位置合わせして貼り合される偏光フィルム原紙の一実施例を示す。
【００６７】
図１２（Ａ）に示す画像フィルム原紙９０は、画像フィルム２０を構成する矩形状の画像領域９２ａと、その４辺の外側を囲む非画像領域９２ｂと、を有し、非画像領域９２ｂには、画像領域９２ａの長手方向に対向する２辺、図中左辺及び右辺の外側のそれぞれに所定の間隔を空けて配置される２つ、合計４つの位置合せマーカ８２と、画像領域９２ａの他方の２辺、図中上辺及び下辺の外側に、この上辺及び下辺に沿って配置される２つの周期ずれ防止マーカ９４とを有する。なお、画像フィルム原紙９０は、周期ずれ防止マーカ９４を有している点を除けば、図２（Ａ）に示す画像フィルム原紙２４と同じである。
図１２（Ｂ）に示す偏光フィルム原紙９６は、全面に、偏光フィルム２２に含まれる右目用偏光グリッド及び左目用偏光グリッドが画像フィルム２０の右目用及び左目用画像要素に対応して同じグリッド間隔で交互に多数形成されているものである。なお、偏光フィルム原紙９６は、図２（Ｂ）に示す偏光フィルム原紙２８と、非グリッド領域２８ｂが存在していない点で異なるが、偏光フィルム原紙２８におけるグリッド領域２８ａが原紙全面に拡がったものということができる。
【００６８】
ここで、図１２（Ａ）に示す画像フィルム原紙９０の位置合せマーカ８２は、本発明の第２の実施形態の位置合せ方法を実施するための位置合せマーカであって、上述の第２の実施形態の位置合せ方法に用いられるマーカであればどのようなものでも良く、例えば、図５に示すマーカ６０はもちろん、図３（Ａ）に示すマーカ２６なども用いることができる。
周期ずれ防止マーカ９４は、位置合せマーカ８２では検出できない小さな角度ずれを検出するためのものである。このマーカ９４は、図１２（Ａ）に示すように、画像領域９２ａの、図中上辺及び下辺の外側の非画像領域９２ｂに、この上辺及び下辺に沿って配置されるもので、図１２（Ｂ）に示す偏光フィルム原紙９６の偏光フィルム２２のグリッド配置パターン、即ち画像フィルム２０の線状画像要素に対応する線状偏光グリッドによって見ることができる微細白黒パターンと同じパターンで、黒パターンとなる、偏光グリッドの間隔と同じ幅を持つ黒線９５がその幅と同じ間隔を空けて白パターンとなるように複数配置されたものである。
【００６９】
ここで、マーカ９４の黒線９５の配置パターン、即ち白黒パターンとしては、偏光フィルム２２のグリッド配置パターン即ち、白黒パターンと同じ、即ち、同じ幅及び間隔であるのが好ましいが、これに限定されず、例えば、マーカ９４の白黒パターンは、偏光フィルム２２の白黒パターンと間隔と同じでなくても良く、ほぼ同じであればよい。即ち、黒パターンとなる黒線９５の幅と白パターンとなる隣接する黒線９５の間隔とは同じでなくても良い。また、マーカ９４の白黒パターンは、偏光フィルム２２の白黒パターンに対応するパターンであればよく、例えば、グリッドの間隔と同じ幅を持つ黒線がグリッドの間隔の整数倍の間隔を空けて配置されたものであっても良い。
また、マーカ９４の白黒パターンの形状は、図示例のように、偏光フィルム２２の白黒パターンの形状に合わせる必要があるが、形状自体はどのような形状であっても良い。例えば、図示例のように、縞状（ストライプ）であっても良いし、市松模様（チェッカーボード）であっても良いのは、もちろんである。
【００７０】
また、マーカ９４の白黒パターンは、画像フィルム原紙９０の画像フィルム２０と偏光フィルム原紙９６の偏光フィルム２２とを重ね合わせ、人が偏光眼鏡をかけて観察した時、あるいは、偏光フィルタを通して測定した時に、偏光フィルム原紙９６の右目用又は左目用偏光グリッドを介して検出されるマーカ９４の各測定点の光量が最も小さくなる位置にマーカ９４の白黒パターンを構成する黒線９５を配置するのが良い。
また、図示例では、マーカ９４は、図中画像領域９２ａの上辺及び下辺の両方の非画像領域９２ｂに配置されているが、本発明はこれに限定されず、いずれか一方に配置されるものであっても良い。また、マーカ９４は、画像領域９２ａの右目用又は左目用画像要素の配置パターンが縞状である場合には、画像要素の延在方向に平行に配置される必要があるので、画像要素の延在方向が図中左右方向である図示例の場合には、上辺及び下辺の少なくとも一方に配置されるが、画像要素の延在方向が図中上下方向である場合には、左辺及び右辺の少なくとも一方に配置される。しかし、画像領域９２ａの画像要素の配置パターンが市松模様である場合には、どちらに配置しても良いが、長手方向に平行に配置するのが良い。
【００７１】
また、マーカ９４の配置長さ（画像要素の配置方向の幅）は、図示例では、画像領域９２ａ（画像フィルム２２）の長手方向、図中左右方向の長さ（画像要素の配置長さ）に等しいが、本発明は特に制限的ではなく、少なくとも画像領域９２ａの長さの半分以上あれば良く、また、画像フィルム原紙９０の図中左右方向の端部間の全長であっても良い。
また、マーカ９４の配置高さ（画像要素の配置方向と直交する方向の長さ）は、画像フィルム原紙９０と偏光フィルム原紙９６とを重ねて位置合せした時のマーカ９４の光量を検出する光量検出器のアパーチャーサイズ以上とするのが好ましい。なお、マーカ９４の配置高さは、目視でも光量のムラが分かるように１５ｍｍ以上とするのがより好ましい。
また、マーカ９４の光量を検出する光量検出器としては、画像フィルム原紙９０と偏光フィルム原紙９６とを重ねて位置合せした時のマーカ９４の領域の複数点をサンプリングした時に、サンプリングされた複数点の光量を検出できればどのようなものでも良く、ＣＣＤやＣＭＯＳ撮像素子、これらを用いたカメラ、光検出器、光量計、輝度計等を挙げることができるが、光量検出器の検出部には偏光フィルタが取り付けられているのが必要である。なお、検出する光量は、透過光量でも、反射光量でも良い。
【００７２】
本発明の第３実施形態の位置合せ方法では、以上のように構成される画像フィルム用位置合わせマーカ８２及び周期ずれ防止マーカ９４が、偏光フィルム原紙９６と、偏光フィルタを通して見た時に周期ずれがなく正確に重なるように、画像フィルム原紙９０と偏光フィルム原紙９６とを重ねて位置合わせすることができる。
画像フィルム原紙９０と偏光フィルム原紙９６との位置合わせに際しては、まず、偏光フィルタを通して、４つの位置合せマーカ８２を用いて、上述した第２実施形態の位置合せ方法を行い、図１３に示すように、少なくとも４つの位置合せマーカ８２の部分では、マーカ８２の白黒パターンと偏光フィルム原紙９６の白黒パターンが一致するように位置合わせされた画像フィルム原紙９０と偏光フィルム原紙９６との重さね合せ９８を得ることができる。
【００７３】
次に、こうして得られた画像フィルム原紙９０と偏光フィルム原紙９６との重さね合せ９８の周期ずれ防止マーカ９４の重なり部分９８ａにおける光量を偏光フィルタを通して光量検出器（図示せず）で検出し、重なり部分９８ａの光量ムラの程度に応じて周期ずれの有無を検出する。
なお、光量検出器による光量の検出の代わりに、偏光眼鏡を通した目視による光量ムラの有無を検出して、光量検出に変えても良い。
もし、周期ずれが存在する場合には、図１０及び図１１に示すように、マーカ９４の重なり部分９８ａの長手方向に光量ムラが発生しているので、重なり部分９８ａに光量ムラがなければ、周期ずれがないと判断され、画像フィルム原紙９０と偏光フィルム原紙９６との重さね合せ９８における画像フィルム２０と偏光フィルム２２とは、周期ずれがなく正確に位置合せされていることが分かる。
【００７４】
ここで、光量検出器で重なり部分９８ａの光量を検出する場合には、具体的には、複数点をサンプリングしてその光量を検出し、検出された複数点の光量の差が所定に閾値以下である場合には、周期ずれなく位置合せされていると判断され、所定に閾値超である場合には、周期ずれが発生していると判断される。
所定の閾値としては、特に制限はないが、予め、目視によって光量ムラがないと判断される、もしくは目視では許容できる光量ムラであると判断される場合の光量差を求め、求められた光量差を閾値としても良い。また、左目用画像要素と左目用偏光グリッド、もしくは、右目用画像要素と右目用偏光グリッドを正確に位置合わせしたときの光量と、左目用画像要素と右目用偏光グリッド、もしくは、右目用画像要素と左目用偏光グリッドとを正確に位置合わせしたときの光量との差に対する割合と光量検出器の能力を考えて閾値を決めても良い。
また、サンプリングする複数点についても、重なり部分９８ａを万遍なく一様にサンプリングできれば、特に制限的ではなく、画像フィルム２０、即ち画像フィルム原紙９０の画像領域９２ａの大きさに合わせて設定すれば良い。また、周期ずれを起こす場合には、左右両端にあるマーカ８２間の距離の整数分の一の倍数の位置に光量上昇部が発生し、また、光量上昇部同士の中間位置に光量低下部が発生するため、発生可能性のある光量上昇部と光量低下部の位置に合わせて複数点をサンプリングすれば測定点は少なくても良い。
【００７５】
周期ずれが発生していると判断される場合には、マーカ９４の重なり部分９８ａの長手方向に光量ムラが発生しているので、光量ムラを無くす方向に、重さね合せ９８の画像フィルム原紙９０及び偏光フィルム原紙９６の一方をずらすと共に、上述した４つの位置合せマーカ８２を用いて、上述した第２実施形態の位置合せ方法を行う。
その後、同様に、上述したマーカ９４の重なり部分９８ａの光量検出を行い、周期ずれの有無を検出し、周期ずれがない場合には正確な位置合わせをすることができ、周期ずれがある場合には、周期ずれがなくなるまで、上記位置合わせを繰り返す。
【００７６】
こうして、本発明の第３実施形態の位置合せ方法では、少なくとも画像フィルム用位置合せマーカを用いて、画像フィルムの画像要素と偏光フィルムの偏光グリッドとを微視的に精度良く合わせてもそれだけでは検出できない巨視的に起こるグリッド周期の位置ずれを検出することができ、簡単に精度良く正確な位置合わせをすることができる。
第３実施形態の位置合わせ方法では、先に微視的に合わせた後に巨視的に起こるグリッド周期の位置ずれを検出しているが、逆に、先に巨視的に合わせた後に微視的に合わせて、再度巨視的にずれていないことを確認しても良い。
本発明の第３実施形態の位置合せ方法及びこれに用いられる周期ずれ防止マーカは、基本的に以上のように構成される。
【００７７】
このようにして、位置合せされた画像フィルム原紙と偏光フィルム原紙とは、透明な接着剤を用いて正確に貼り合わせることができる。
ここで貼り合わせに用いられる接着剤は、透明であれば、特制限的ではなく、従来公知の光学部品用接着剤を用いることができるが、好ましくは、光学的な異方性のない接着材が良いのは、もちろんである。
こうして、透明な接着剤を用いて正確に貼り合わせられた画像フィルム原紙と偏光フィルム原紙とは、マーカ等が形成されている非画像領域にカットされて、画像領域を含む立体画像プリントとして製造される。
こうして、本発明では、立体画像プリントを製造することができる。
本発明の立体画像プリントの位置合せ方法、これに用いる位置合せマーカ及び立体画像プリントの製造方法は、基本的に以上のように構成される。
【００７８】
上述した例では、画像フィルムと偏光フィルムとの位置合せについて説明したが、本発明はこれに限定されず、本発明の位置合せマーカを用いる位置合せ方法、特に、発生するモアレパターンの空間周波数特性を制御することにより、マーカの画像解像度やサイズを制御して、目合わせによる位置合わせを考慮した見易いモアレパターンを生成して位置合わせを行う位置合せ方法は、偏光表示方式を始めとして他の立体画像メディアにも適用可能である。例えば、本発明の位置合せ方法や本発明の位置合せマーカが適用される画像要素が形成された画像メディアは、画像フィルムに限定されず、印画紙等の反射媒体や、液晶表示媒体等の透過媒体であっても良いし、このような本発明の位置合わせを行う位置合せ方法やそのための位置合せマーカが適用される偏光グリッドが形成された偏光媒体は、偏光フィルムに限定されず、剛性の低い偏光板にも適用可能である。
【００７９】
以上、本発明の立体画像プリントの位置合せ方法、これに用いる位置合せマーカ、及び立体画像プリントの製造方法について詳細に説明したが、本発明は上記実施形態に限定されず、本発明の主旨を逸脱しない範囲において、種々の改良または変更をしてもよいのはもちろんである。
【符号の説明】
【００８０】
１０  立体画像プリント
１２  偏光眼鏡
１２Ｒ，１２Ｌ  偏光フィルタ
１６  画像層
１６Ｒ，１６Ｌ  画像要素
１８  フィルムベース
２０  画像フィルム
２２  偏光フィルム
２２Ｒ，２２Ｌ  偏光グリッド
２４，９０  画像フィルム原紙
２４ａ，９２ａ  画像領域
２４ｂ，９２ｂ  非画像領域
２６，３０，６０，８２  位置合せマーカ
２８，９６  偏光フィルム原紙
２８ａ  グリッド領域
２８ｂ  非グリッド領域
９４  周期ずれ防止マーカ
【図１】
2012063760.tif 000003
【図２】
2012063760.tif 000004
【図３】
2012063760.tif 000005
【図４】
2012063760.tif 000006
【図５】
2012063760.tif 000007
【図６】
2012063760.tif 000008
【図８】
2012063760.tif 000009
【図９】
2012063760.tif 000010
【図１１】
2012063760.tif 000011
【図１２】
2012063760.tif 000012
【図１３】
2012063760.tif 000013
【図７】
2012063760.tif 000014
【図１０】
2012063760.tif 000015